【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
以下のステップを含む方法を実行するためのコンピュータ実行可能命令を有する、コンピュータ可読媒体。
第１のモードで第１のデバイスを作動するステップ、
前記第１のデバイスを第２のモードで作動するためにインディケータを活性化するステップ、及び、
前記第１のデバイスを前記第２のモードで作動するステップであって、前記第２のモードは、前記第１のデバイスと第２のデバイスとの間のメッセージの無線交換に十分である、前記第１のデバイスの低送信電力設定を有し、前記第２のデバイスは、秘密情報へのアクセスを有している、ステップ。
ここで、前記第２のモードで第１のデバイスを作動するステップは、
最初のスキーマ交換でスキーマの交換を試行し、前記最初のスキーマ交換が成功した場合には、前記第１のデバイスの送信電力を減分してスキーマ交換を行い、以後のスキーマ交換が不成功になるまで、更なるスキーマ交換を行い、
スキーマ交換が不成功になると、再びスキーマ交換が第１の送信電力レベルで成功するまで、送信電力を増分してスキーマ交換を行い、
前記第１の送信電力レベルを前記低送信電力設定として設定する、ステップであって、
スキーマは、巡回冗長検査の出力及び巡回冗長検査符号語からなる群から選択され、
前記送信電力を減分するステップは、前記送信電力を第１の量だけ減少させるステップを含み、前記送信電力を増分するステップは、前記送信電力を第２の量だけ増大させるステップを含み、前記第１の量は、前記第２の量より大である、ステップ、、
前記第１のデバイスの送信電力を低送信電設定に設定するステップ、及び
前記低送信電力設定にある期間中に、前記第２のデバイスから無線媒体を介して前記秘密情報を受信するステップを含み、
前記第１のモードは、前記第２のモードと関連付けられている前記低送信電力設定とは異なる第１の送信電力設定と関連付けられている。
【請求項２】
請求項１に記載のコンピュータ可読媒体であって、
前記最初のスキーマ交換が不成功の場合に、前記第１のデバイスを前記第２のデバイスにより接近させて配置する必要があるというフィードバックをユーザに提供するステップをさらに含むことを特徴とするコンピュータ可読媒体。
【請求項３】
請求項１に記載のコンピュータ可読媒体において、
前記第１の送信電力設定は、該第１のデバイスの通常送信電力設定を含むことを特徴とするコンピュータ可読媒体。
【請求項４】
請求項１に記載のコンピュータ可読媒体において、
前記第１の送信電力設定は、該第１のデバイスの安全送信電力設定を含み、該安全送信電力設定は、該第１のデバイスの通常送信電力設定よりも低いことを特徴とするコンピュータ可読媒体。
【請求項５】
請求項４に記載のコンピュータ可読媒体であって、
前記最初のスキーマ交換が不成功の場合に、前記第１のデバイスを前記第２のデバイスにより接近させて配置する必要があるというフィードバックをユーザに提供するステップをさらに含むことを特徴とするコンピュータ可読媒体。
【請求項６】
請求項１に記載のコンピュータ可読媒体において、
前記第２のモードで第１のデバイスを作動するステップは、
最初のスキーマ交換でスキーマを交換するステップ、
前記最初のスキーマ交換が不成功の場合に、前記第１のデバイスの送信電力を増分してスキーマ交換を行い、以後のスキーマ交換が第１の送信電力レベルで成功するまで、更なるスキーマ交換を行うステップ、及び
前記第１の送信電力レベルを前記低送信電力設定として設定するステップ
を含むことを特徴とするコンピュータ可読媒体。
【請求項７】
請求項６に記載のコンピュータ可読媒体において、
前記前記第１の送信電力設定は、該第１のデバイスの最小送信電力設定を含むことを特徴とするコンピュータ可読媒体。
【請求項８】
請求項６に記載のコンピュータ可読媒体であって、
前記第１のデバイスの前記送信電力が、スキーマ交換が成功することなく、安全電力送信レベルよりも大きく増分される場合に、前記第１のデバイスを前記第２のデバイスにより接近させて配置する必要があるというフィードバックをユーザに提供するステップをさらに含むことを特徴とするコンピュータ可読媒体。
【請求項９】
請求項１に記載のコンピュータ可読媒体において、
前記秘密情報は、無線ネットワークに接続するための接続設定及びパスワードのうちの少なくとも一方を含むことを特徴とするコンピュータ可読媒体。
【請求項１０】
請求項９に記載のコンピュータ可読媒体であって、
無線ネットワークに接続するための接続設定及びパスワードのうちの前記少なくとも一方を利用するステップ、及び、前記第１のデバイスを前記無線ネットワークに接続するように自動的に構成するステップをさらに含むことを特徴とするコンピュータ可読媒体。
【請求項１１】
請求項１に記載のコンピュータ可読媒体において、
前記第２のデバイスは、第３のデバイスから前記秘密情報を受信する仲介デバイスであることを特徴とするコンピュータ可読媒体。
【請求項１２】
請求項１に記載のコンピュータ可読媒体において、
前記第１のデバイスは仲介デバイスであり、前記秘密情報を前記第１のデバイスから第３のデバイスへ供給するステップをさらに含むことを特徴とするコンピュータ可読媒体。
【請求項１３】
以下のステップを含む方法を実行するためのコンピュータ実行可能命令を有する、コンピュータ可読媒体。
第１のモードで第１のデバイスを作動するステップ、
前記第１のデバイスを第２のモードで作動するためにインディケータを活性化するステップ、及び、
前記第１のデバイスを前記第2のモードで作動するステップであって、前記第２のモードは、前記第１のデバイスと第２のデバイスとの間のメッセージの無線交換に十分である、前記第１のデバイスの低送信電力設定を有し、前記第２のデバイスは、無線ネットワークに接続するためのクレデンシャルおよび他の設定へのアクセスを有している、ステップ。
ここで、前記第２のモードで第１のデバイスを作動するステップは、
最初のスキーマ交換でスキーマの交換を試行し、前記最初のスキーマ交換が成功した場合には、前記第１のデバイスの送信電力を減分してスキーマ交換を行い、以後のスキーマ交換が不成功になるまで、更なるスキーマ交換を行い、
スキーマ交換が不成功になると、再びスキーマ交換が第１の送信電力レベルで成功するまで、送信電力を増分してスキーマ交換を行い、
前記第１の送信電力レベルを前記低送信電力設定として設定する、ステップであって、
スキーマは、巡回冗長検査の出力及び巡回冗長検査符号語からなる群から選択される、ステップ、
前記第１のデバイスの前記送信電力を前記低送信電力設定に設定するステップ、
前記低送信電力設定にある期間中に、前記クレデンシャルを前記第２のデバイスから無線媒体を介して前記第１のデバイスで受信するステップ、及び
前記第１のデバイスにおける前記クレデンシャルを利用し、前記第１のデバイスを前記無線ネットワークに接続するように形成するステップ、を含み、
前記第１のモードは、前記第２のモードと関連付けられている前記低送信電力より大である第１の送信電力設定と関連付けられている。
【請求項１４】
請求項１３に記載のコンピュータ可読媒体であって、
前記最初のスキーマ交換が成功しない場合に、前記第１のデバイスを前記第２のデバイスにより接近させて配置する必要があるというフィードバックをユーザに提供するステップをさらに含むことを特徴とするコンピュータ可読媒体。
【請求項１５】
請求項１３に記載のコンピュータ可読媒体において、
前記第１の送信電力設定は、前記第１のデバイスの通常送信電力設定又は前記第１のデバイスの安全送信電力設定のうちの一方を含み、該安全送信電力設定は、該第１のデバイスの前記通常送信電力設定よりも低いことを特徴とするコンピュータ可読媒体。
【請求項１６】
請求項１３に記載のコンピュータ可読媒体において、
前記第２のモードで前記第１のデバイスを作動するステップは、
最初のスキーマ交換でスキーマを交換するステップ、
前記最初のスキーマ交換が不成功の場合に、前記第１のデバイスの送信電力を増分してスキーマ交換を行い、以後のスキーマ交換が第１の送信電力レベルで成功するまで、更なるスキーマ交換を行うステップ、及び
前記第１の送信電力レベルを前記低送信電力設定として設定するステップ
を含むことを特徴とするコンピュータ可読媒体。
【請求項１７】
請求項１６に記載のコンピュータ可読媒体において、
前記第１の送信電力設定は、該第１のデバイスの最小送信電力設定を含むことを特徴とするコンピュータ可読媒体。
【請求項１８】
請求項１６に記載のコンピュータ可読媒体であって、
前記第１のデバイスの前記送信電力が、スキーマ交換が成功することなく、安全電力送信レベルよりも大きく増分される場合に、前記第１のデバイスを前記第２のデバイスにより接近させて配置する必要があるというフィードバックをユーザに提供するステップをさらに含むことを特徴とするコンピュータ可読媒体。
【請求項１９】
第１のデバイスと第２のデバイスとの間のメッセージの無線交換のために第１のデバイスを利用する方法であって、前記第２のデバイスは秘密情報へのアクセスを有し、該方法は、
第１のモードで第１のデバイスを作動するステップ、
前記第１のデバイスを第２のモードで作動するためにインディケータを活性化するステップ、及び、
前記第１のデバイスを前記第２のモードで作動するステップであって、前記第２のモードは、低送信電力設定に関連付けられ、前記第１のモードは、通常送信電力設定と関連付けられ、前記通常送信電力設定は、前記低送信電力設定より大であるステップ、
を含み、
前記第２のモードで第１のデバイスを作動するステップは、
最初のスキーマ交換でスキーマの交換を試行し、
前記最初のスキーマ交換が成功した場合には、前記第１のデバイスの送信電力を反復的に減分してスキーマ交換を試行し、以後のスキーマ交換が不成功になるまで、更なるスキーマ交換を試行し、
前記更なるスキーマ交換が不成功になると、再びスキーマ交換が第１の送信電力レベルで成功するまで、送信電力を増分してスキーマ交換を行い、
前記第１の送信電力レベルを前記低送信電力設定として設定する、ステップであって、スキーマは、巡回冗長検査の出力及び巡回冗長検査符号語からなる群から選択される、ステップ、
前記第１のデバイスの送信電力を低送信電設定に設定するステップ、及び
前記低送信電力設定にある期間中に、前記第２のデバイスから無線媒体を介して前記秘密情報を受信するステップ、
を含む、方法。